(57)【要約】【課題】  花留めとしての吸水性フォームは、使い捨てであり、透明なガラスの花器等に不向きである。また、従来のブーケ製作の手法では、片手で花の重みを支えながら、支点を１点にしてずれない様にスパイラル状に組む熟練した技術が必要であり、素人には難しいものである。【解決手段】  ゴム材から成るＯリング同士を係合しながら組み立てた、主に、Ｏリングで構成される本体と、網目を有したフレームにゴム材から成る丸紐を捲着し成形された固定具を併用することにより、ゴム部で花を留め、容易にバランスよく花型をとることができる。ゴム材によりずれにくいため、花器にのせて簡単に使用できる。また、本体のみでブーケ製作をする場合も、花を支えながら組むことができるため、手の負担を軽減し、少ない花材でも大きめのブーケを容易に製作できる。繰り返し使用が可能で、環境にも配慮されている。【選択図】図６
2018015508.tif 000002
【特許請求の範囲】
【請求項１】
ゴム材から成るＯリング同士を係合しながら組み立て、結束バンド等で結合し成形された、主に、Ｏリングで構成されることを特徴とする本体と、シリコン等のゴム材から成る丸紐を、樹脂、金属材等から成る網目を有した平板状の任意形状のフレーム、もしくは、網目を有した立体形の任意形状のフレームに捲着し成形された、前記本体を花器に取り付ける為の固定具から成るものであって、Ｏリング同士の係合部やフレームに捲着された丸紐のゴム部で花を傷めず支持し、花器も傷つけず、容易にバランスよく花をまとめることのできる多数の花挿開口を設けたフラワーアレンジメント用の花留め、及び、本体のみで使用するブーケ作成補助具。
【発明の詳細な説明】
【技術分野】
【０００１】  本発明は、フラワーアレンジメント製作用の花留め、及び、ブーケ製作の簡易化を図ったブーケ補助具に関する。
【背景技術】
【０００２】  フラワーアレンジメント用の花留めとしては、吸水性フォームに花を挿花する方法が一般的である。（例えば、特許文献１参照。）。
また、金属、樹脂、アクリル等から成る、穴、網目状に花を挿花してアレンジする方法もある。【０００３】  また、従来のブーケ製作には、片方の手で茎が交差する支点となるところを持ち、支点がずれないように茎をスパイラル状に組んで行き、束ねたものをラフィア等の紐状のもので縛る方法がある。
また、花を挿してアレンジできる吸水性フォームと補強カバーと握り部から成るブーケ用の花束ハンドルに花を挿してブーケを製作する方法もある（例えば、特許文献２参照。）。
【先行技術文献】
【特許文献】
【０００４】
【特許文献１】特開２００２−１６５５２０
【特許文献２】特開平９−１９１９９０
【発明の概要】
【発明が解決しようとする課題】
【０００５】  以上に述べた従来のフラワーアレンジメント用の花留めとしての吸水性フォームは、使用する前に吸水させておくなどの準備を必要とし手間がかかる。また、一度挿すと穴が開いてしまい、再度挿すと茎がぐらつくなど挿し直しができず、使い捨てであり、毎回ゴミになり環境上好ましくない。また、ガラスの花器等、透明な花器には不向きである。
また、以上に述べた金属、樹脂、アクリル等から成る、穴、網目状に花を挿花してアレンジする方法では、花の角度を決めて固定する力が弱いものであった。【０００６】  また、以上に述べた従来の手でスパイラル状に組んで行くブーケ製作の手法では、片手で花の重みを支えながら、支点を１点にしてずれない様に組むため、花を組んでいる途中で手が痛くなる、花の中心がずれる等、難しく、熟練した  技術が必要であり素人が組むには難しいものであった。また、この手法では、茎を積み重ねて束ねて行くため、花が密集しすぎる感があり、空間を空けて組むことが難しく、多くの花材を必要とするか、間に葉物を入れて空間をとる必要があった。
また、花束ハンドルを使用してブーケを製作する方法では、茎を短く切って吸水性フォームに挿すため、茎をまとめるものではなくナチュラル感を損ない、使い捨てでもある。【０００７】  本発明は、このような従来の手法や構成が有していた問題を解決しようとするものであり、誰にでも容易にきれいに花をまとめることができる、使い捨てではないフラワーアレンジメント用の花留めと、ブーケ製作の簡易化を図ったブーケ補助具を実現することを目的とするものである。
【課題を解決するための手段】
【０００８】  そして、本発明は上記、花留めの目的を達成するために、ゴム材から成るＯリング同士を係合しながら組み立て、結束バンド等で結合し成形された、主に、Ｏリングで構成されることを特徴とする本体と、シリコン等のゴム材から成る丸紐を、樹脂、金属材等から成る網目を有した平板状の任意形状のフレーム、もしくは、網目を有した立体形の任意形状のフレームに捲着し成形された、前記本体を花器に取り付ける為の固定具から成るものであって、Ｏリング同士の係合部やフレームに捲着された丸紐のゴム部で花を傷めず支持し、花器も傷つけず、容易にバランスよく花をまとめることのできる多数の花挿開口を設けたものである。【０００９】  また、本発明は上記目的を達成するために、ゴム材から成るＯリング同士を係合しながら組み立て、結束バンド等で結合し成形された、主に、Ｏリングで構成されることを特徴とする本体のみを使用するものであり、Ｏリング同士の係合部と手で花を支持し、容易にバランスよく花をまとめることのできる多数の花挿開口を設けたブーケ製作の補助となるブーケ補助具である。【００１０】  上記課題解決手段による花留めの作用は次の通りである。すなわち、Ｏリング同士の係合部、本体で花を支持し、更に、固定具のフレームに捲着されたゴム部でも花を支持することにより、花の固定度を高め、茎を傷めず容易に花型をとることができる。また、ゴムの滑り止め作用により、固定具がずれにくく安定して花器に取り付けられ、花器を傷つけることもない。固定具に本体を置いたり、入れたりして使用し、数本の花を挿花すると、本体と固定具も動かなくなる。花型によっては、固定具のみで花留めとして使用することも可能である。【００１１】  上記課題解決手段によるブーケ補助具の作用は次の通りである。すなわち、ブーケ補助具の上部花挿開口から大まかにスパイラル状に花を挿通し、手で茎の束を支えて行くものであり、Ｏリング同士の係合部である程度、花を支持することにより手の負担を軽減し、空間をとったブーケの製作が容易に可能となる。ゴム材の効果により茎を傷めることなく支持し、素人でも容易に花をまとめることができる。茎が交差してくると、花の固定度が増し、花の向きも決め易くなり、花をまとめた後に花の高さを修正することも可能である。
【発明の効果】
【００１２】  上述したように本発明の花留めは、ゴム材から成るＯリングと丸紐を使用することにより滑り止め効果を発揮し、花の留まりを良くして花型をとり易くし、花器に簡単に取り付けることが可能である。また、使用するために準備する手間を省いて、使い捨てではない繰り返し使用可能な、環境に配慮した花留めを提供できる。【００１３】  上述したように本発明のブーケ補助具は、従来、茎を１点に集中してずれない様にスパイラル状に組んでいく熟練した技術を必要としたが、手の負担を軽減して素人でも容易にブーケを製作できる。また、従来の手法では、茎を積み重ねて束ねて行くため、多くの花材を必要とし、空間をとるためには葉物を入れるなどの工夫を必要としたが、少ない花材でも空間をとった大きい見栄えの良いブーケを容易に製作できる効果を発揮する。
【図面の簡単な説明】
【００１４】
【図１】  本発明の実施形態を示す本体の正面図
【図２】  本体の係合構造を示す部分図
【図３】  図１のＡ−Ａ線断面図
【図４】  板状の固定具の上から見た図
【図５】  立体形状の固定具の正面図
【図６】  板状固定具の上に本体を置いた実施例
【図７】  立体形状の固定具に本体を入れた実施例
【図８】  ブーケ補助具の実施例
【発明を実施するための形態】
【００１５】  以下、本発明の実施の形態を図１〜図８に基づいて説明する。
【００１６】  図においては、１はフラワーアレンジメント用の花留め本体、及び、単独で使用するブーケ補助具であって、中心を同じくした内径の異なるＯリング２Ａ、２Ｂ、２Ｃ、２Ｄ、２Ｅが適宜間隔をあけて配されている。２Ａにおいては、上部中心で茎をしっかり支持する為に小さ目のＯリングを使用し、２Ｂ、２Ｃ、２Ｄにおいては、内径、数を任意に変更可能とする。図２に示すようにＯリング２Ａ、２Ｂの輪の中にＯリング３Ａ、３Ｂを挿通しながら係合して行き上部を形成し、Ｏリング２Ｄ、２Ｃの輪の中にＯリング３Ｃを挿通しながら係合し下部を形成し、３Ｂと３Ｃの各々両端部を合わせて、該両端部を外周となるＯリング２Ｅに結束バンド４でまとめて結合する。Ｏリング３Ａ、３Ｂ、３Ｃの内径、係合数は任意に変更可能とする。これを中心から全方に５〜１０回程度、適宜繰り返し配し、図３に示すように放射状に均等に配設された構成となる。
【００１７】  図においては、５Ａは四辺形の平板状のフレームで、５Ｂは四辺形の平板のフレームの中央部に網目を有する十字型のものを山型に取り付けた立体形の任意形状のフレームであって、平板部は、四辺形、円形、多角形等任意形状に変更可能とし、立体部も半球状、アーチ状等、任意形状に変更可能とする。フレームは、穴、網目状を有するものであって、材質は、樹脂、金属材等から成るものである。
【００１８】  前記、フレーム５Ａ、５Ｂに、シリコン等のゴム材から成る丸紐７を捲着し形成されたものが平板状の固定具６Ａと、立体形の任意形状の固定具６Ｂである。ゴムの滑り止め効果を発揮し、花器に取り付ける場合もずれにくく、本体１もずれにくい。ゴム部で花器に接する為に傷がつかず、花型によっては、６Ａ、６Ｂだけで花留めとして使用可能である。
【００１９】  図６に示すように、花器８に固定具６Ａをのせて、その上に本体１を置いて使用する。数本の花を挿花することにより、６Ａと本体１は動かなくなり、安定して花を保持できる。１の上部花挿開口から花を挿通し、１の係合部と６Ａで花を支持する為に留りが良い。何度でも挿し直し可能であり、繰り返し使用可能である。水替えができるため、衛生的で雑菌が繁殖しにくく、生花の新鮮さも保持される。本体１を６Ａの上に置く構成となっているため、透明な花器に使用しても花留めが見えることなくきれいである。
【００２０】  図７に示すように、固定具６Ｂに本体１を入れて、花器８にのせて使用する。固定具６Ｂは立体形状であるため花の固定度が増し、本体１も落ちずに取り付けられる。透明ではない花器に使用する。
【００２１】  図８に示すように、本体１のみで、ブーケ補助具として使用する。本体１の上部多数の花挿開口から花を挿通し、手１０で茎の束を支えて行く。中心から外方に向かって放射状に均等にＯリングが係合、連設されているため、花を大まかにスパイラル状に入れて行くことにより容易にブーケの製作が可能となる。バランスもとり易く、花をまとめた後に、花の高さも修正し易い。以上のように、本実施形態によれば、フラワーアレンジメントの製作やブーケ製作が誰にでも容易に可能となる。
【符号の説明】
【００２２】  １  本体
２Ａ  上部中心となるＯリング
２Ｅ  外周となるＯリング
３Ａ  Ｏリング
４  結束バンド
５Ａ  板状のフレーム
５Ｂ  立体形状のフレーム
６Ａ  板状の固定具
６Ｂ  立体形状の固定具
７  ゴム材から成る丸紐
８  花器
９  花
１０  手
【図１】
2018015508.tif 000003
【図２】
2018015508.tif 000004
【図３】
2018015508.tif 000005
【図４】
2018015508.tif 000006
【図５】
2018015508.tif 000007
【図６】
2018015508.tif 000008
【図７】
2018015508.tif 000009
【図８】
2018015508.tif 000010